(57)【特許請求の範囲】
【請求項１】
撮影した画像を印刷媒体に印刷してユーザに提供する画像印刷装置において、
前記画像の撮影時間を制限する撮影制限時間を選択的に指定する指定入力を受け付ける第１の入力受付手段と、
前記第１の入力受付手段により、前記指定入力として撮影制限時間の短縮を選択する選択入力が受け付けられた場合、前記撮影制限時間を短く設定するとともに、前記撮影に関する機能を追加し、前記第１の入力受付手段により前記撮影制限時間の短縮を選択する選択入力が受け付けられなかった場合より、前記撮影に関する機能の数が多くなるように設定する設定手段と、
前記設定手段により設定された前記撮影制限時間、および前記撮影に関する機能に基づいて、前記ユーザの撮影を行う撮影手段と、
前記撮影手段により撮影された前記ユーザの画像を表示する表示手段と、
前記表示手段により表示された前記ユーザの画像に対する編集入力を受け付ける第２の入力受付手段と、
前記第２の入力受付手段により受け付けられた前記編集入力に基づいて、前記表示手段により表示された前記ユーザの画像を編集する編集手段と、
前記編集手段により編集された前記ユーザの画像を前記印刷媒体に印刷する印刷手段と
を備えることを特徴とする画像印刷装置。
【請求項２】
前記設定手段は、前記撮影に関する機能として、前記撮影手段による前記撮影の撮影枚数を設定する
ことを特徴とする請求項１に記載の画像印刷装置。
【請求項３】
前記設定手段は、前記撮影に関する機能として、前記撮影手段による前記撮影における撮影アングルの数を設定する
ことを特徴とする請求項１または２に記載の画像印刷装置。
【請求項４】
撮影した画像を印刷媒体に印刷してユーザに提供する画像印刷装置の画像印刷方法であって、
前記画像の撮影時間を制限する撮影制限時間を選択的に指定する指定入力を受け付ける第１の入力受付ステップと、
前記第１の入力受付ステップの処理により、前記指定入力として撮影制限時間の短縮を選択する選択入力が受け付けられた場合、前記撮影制限時間を短く設定するとともに、前記撮影に関する機能を追加し、前記第１の入力受付ステップの処理により前記撮影制限時間の短縮を選択する選択入力が受け付けられなかった場合より、前記撮影に関する機能の数が多くなるように設定する設定ステップと、
前記設定ステップの処理により設定された前記撮影制限時間、および前記撮影に関する機能に基づいて、前記ユーザの撮影を行うように制御する撮影制御ステップと、
前記撮影制御ステップの処理により制御されて撮影された前記ユーザの画像を表示するように制御する表示制御ステップと、
前記表示制御ステップの処理により制御されて表示された前記ユーザの画像に対する編集入力を受け付ける第２の入力受付ステップと、
前記第２の入力受付ステップの処理により受け付けられた前記編集入力に基づいて、前記表示制御ステップの処理により制御されて表示された前記ユーザの画像を編集する編集ステップと、
前記編集ステップの処理により編集された前記ユーザの画像を前記印刷媒体に印刷するように制御する印刷制御ステップと
を含むことを特徴とする画像印刷方法。
【請求項５】
請求項４に記載の画像印刷方法をコンピュータに実行させるプログラム。
【請求項６】
撮影した画像を印刷媒体に印刷してユーザに提供する画像印刷装置において、
撮影により得られた前記画像に対する編集入力の時間を制限する編集制限時間を選択的に指定する指定入力を受け付ける第１の入力受付手段と、
前記第１の入力受付手段により、前記指定入力として編集制限時間の短縮を選択する選択入力が受け付けられた場合、前記編集制限時間を短く設定するとともに、前記編集入力に関する機能を追加し、前記入力受付手段により前記編集制限時間の短縮を選択する選択入力が受け付けられなかった場合より、前記編集入力に関する機能の数が多くなるように設定する設定手段と、
前記ユーザの撮影を行う撮影手段と、
前記撮影手段により撮影された前記ユーザの画像を表示する表示手段と、
前記設定手段により設定された前記編集制限時間、および前記編集入力に関する機能に基づいて、前記表示手段により表示された前記ユーザの画像に対する前記編集入力を受け付ける第２の入力受付手段と、
前記第２の入力受付手段により受け付けられた前記編集入力に基づいて、前記ユーザの画像を編集する編集手段と、
前記編集手段により編集された前記ユーザの画像を前記印刷媒体に印刷する印刷手段と
を備えることを特徴とする画像印刷装置。
【請求項７】
前記設定手段は、前記編集入力に関する機能として、前記第２の入力受付手段により受け付けられる前記編集入力の対象となる画像の枚数である編集枚数を設定する
ことを特徴とする請求項６に記載の画像印刷装置。
【請求項８】
前記設定手段は、前記編集入力に関する機能として、ユーザが、前記第２の入力受付手段により受け付けられる前記編集入力の入力時において使用可能な入力ツールの種類の数を設定する
ことを特徴とする請求項６または７に記載の画像印刷装置。
【請求項９】
撮影した画像を印刷媒体に印刷してユーザに提供する画像印刷装置の画像印刷方法であって、
撮影により得られた前記画像に対する編集入力の時間を制限する編集制限時間を選択的に指定する指定入力を受け付ける第１の入力受付ステップと、
前記第１の入力受付ステップの処理により、前記指定入力として編集制限時間短縮を選択する選択入力が受け付けられた場合、前記編集制限時間を短く設定するとともに、前記編集入力に関する機能を追加し、前記入力受付ステップの処理により前記編集制限時間の短縮を選択する選択入力が受け付けられなかった場合より、前記編集入力に関する機能の数が多くなるように設定する設定ステップと、
前記ユーザの撮影を行うように制御する撮影制御ステップと、
前記撮影制御ステップの処理により制御されて撮影された前記ユーザの画像を表示するように制御する表示制御ステップと、
前記設定ステップの処理により設定された前記編集制限時間、および前記編集入力に関する機能に基づいて、前記表示制御ステップの処理により制御されて表示された前記ユーザの画像に対する前記編集入力を受け付ける第２の入力受付ステップと、
前記第２の入力受付ステップの処理により受け付けられた前記編集入力に基づいて、前記ユーザの画像を編集する編集ステップと、
前記編集ステップの処理により編集された前記ユーザの画像を前記印刷媒体に印刷するように制御する印刷制御ステップと
を含むことを特徴とする画像印刷方法。
【請求項１０】
請求項９に記載の画像印刷方法をコンピュータに実行させるプログラム。
【請求項１１】
撮影した画像を印刷媒体に印刷してユーザに提供する画像印刷装置において、
前記画像の撮影時間を制限する撮影制限時間、および、撮影により得られた前記画像に対する編集入力の時間を制限する編集制限時間を選択的に指定する指定入力を受け付ける第１の入力受付手段と、
前記第１の入力受付手段により、前記指定入力として前記撮影制限時間および前記編集制限時間の短縮を選択する選択入力が受け付けられた場合、前記撮影制限時間および前記編集制限時間を短く設定するとともに、前記撮影に関する機能、前記編集入力に関する機能、および、前記撮影により得られた前記画像の印刷に関する機能の内、少なくとも１つを追加し、前記第１の入力受付手段により前記撮影制限時間および前記編集制限時間の短縮を選択する選択入力が受け付けられなかった場合より、前記撮影に関する機能、前記編集入力に関する機能、および、前記印刷に関する機能の内、少なくとも１つの機能の数が多くなるように設定する設定手段と、
前記設定手段により設定された前記撮影制限時間および前記撮影に関する機能に基づいて、前記ユーザの撮影を行う撮影手段と、
前記撮影手段により撮影された前記ユーザの画像を表示する表示手段と、
前記設定手段により設定された前記編集制限時間および前記編集入力に関する機能に基づいて、前記表示手段により表示された前記ユーザの画像に対する編集入力を受け付ける第２の入力受付手段と、
前記第２の入力受付手段により受け付けられた前記編集入力に基づいて、前記表示手段により表示された前記ユーザの画像を編集する編集手段と、
前記設定手段により設定された前記印刷に関する機能に基づいて、前記編集手段により編集された前記ユーザの画像を前記印刷媒体に印刷する印刷手段と
を備えることを特徴とする画像印刷装置。
【請求項１２】
前記設定手段は、前記印刷に関する機能として、前記印刷手段により印刷される前記画像の種類数を設定する
ことを特徴とする請求項１１に記載の画像印刷装置。
【請求項１３】
前記設定手段は、前記撮影に関する機能として、前記撮影手段による前記撮影の撮影枚数を設定し、
前記撮影手段は、前記設定手段により設定された前記撮影制限時間が経過するか、前記撮影枚数に達するまで前記ユーザの撮影を行う
ことを特徴とする請求項１１または１２に記載の画像印刷装置。
【請求項１４】
前記設定手段は、前記撮影に関する機能として、前記撮影手段による前記撮影における撮影アングルの数を設定し、
前記撮影手段は、前記設定手段により設定された前記撮影アングル数を超えない範囲で前記ユーザの撮影を行う
ことを特徴とする請求項１１または１２に記載の画像印刷装置。
【請求項１５】
前記設定手段は、前記編集入力に関する機能として、前記第２の入力受付手段により受け付けられる前記編集入力の対象となる画像の枚数である編集枚数を設定し、
前記第２の入力受付手段は、前記設定手段により設定された前記編集制限時間が経過するか、前記編集枚数に達するまで前記ユーザが入力する前記編集入力を受け付ける
ことを特徴とする請求項１１乃至請求項１４のいずれかに記載の画像印刷装置。
【請求項１６】
前記設定手段は、前記編集入力に関する機能として、ユーザが、前記第２の入力受付手段により受け付けられる前記編集入力の入力時において使用可能な入力ツールの種類の数を設定し、
前記第２の入力受付手段は、前記設定手段により設定された前記編集制限時間において、前記ユーザが前記入力ツールを用いて入力する前記編集入力を受け付ける
ことを特徴とする請求項１１乃至請求項１４のいずれかに記載の画像印刷装置。
【請求項１７】
撮影した画像を印刷媒体に印刷してユーザに提供する画像印刷装置の画像印刷方法であって、
前記画像の撮影時間を制限する撮影制限時間、および、撮影により得られた前記画像に対する編集入力の時間を制限する編集制限時間を選択的に指定する指定入力を受け付ける第１の入力受付ステップと、
前記第１の入力受付ステップの処理により、前記指定入力として前記撮影制限時間および前記編集制限時間の短縮を選択する選択入力が受け付けられた場合、前記撮影制限時間および前記編集制限時間を短く設定するとともに、前記撮影に関する機能、前記編集入力に関する機能、および、前記撮影により得られた前記画像の印刷に関する機能の内、少なくとも１つを追加し、前記第１の入力受付ステップの処理により前記撮影制限時間および前記編集制限時間の短縮を選択する選択入力が受け付けられなかった場合より、前記撮影に関する機能、前記編集入力に関する機能、および、前記印刷に関する機能の内、少なくとも１つの機能の数が多くなるように設定する設定ステップと、
前記設定ステップの処理により設定された前記撮影制限時間および前記撮影に関する機能に基づいて、前記ユーザの撮影を行うように制御する撮影制御ステップと、
前記撮影制御ステップの処理により撮影された前記ユーザの画像を表示するように制御する表示制御ステップと、
前記設定ステップの処理により設定された前記編集制限時間および前記編集入力に関する機能に基づいて、前記表示制御ステップの処理により制御されて表示された前記ユーザの画像に対する編集入力を受け付ける第２の入力受付ステップと、
前記第２の入力受付ステップの処理により受け付けられた前記編集入力に基づいて、前記表示制御ステップの処理により制御されて表示された前記ユーザの画像を編集する編集ステップと、
前記設定ステップの処理により設定された前記印刷に関する機能に基づいて、前記編集ステップの処理により編集された前記ユーザの画像を前記印刷媒体に印刷するように制御する印刷制御ステップと
を含むことを特徴とする画像印刷方法。
【請求項１８】
請求項１７に記載の画像印刷方法をコンピュータに実行させるプログラム。
【発明の詳細な説明】
【０００１】
【発明の属する技術分野】
本発明は、画像印刷装置および方法、プログラム、並びに印刷媒体に関し、特に、ユーザの使用レベルに応じた制限時間を選択することにより、回転率を向上し、さらにプレミアムを付加するようにした画像印刷装置および方法、プログラム、並びに印刷媒体に関する。
【０００２】
【従来の技術】
従来、カメラでユーザを撮影し、これを予め用意されたフレーム画像と合成してシール台紙などに印刷して提供する画像印刷装置（例えば、プリントクラブ（商標））が知られている。
【０００３】
このような画像印刷装置の中には、ユーザを撮影するカメラを移動させたり、回転させたりする機能を備えたものがある。また、撮影された写真を編集（落書き）することができる画像印刷装置もある。
【０００４】
【発明が解決しようとする課題】
しかしながら、このような画像印刷装置においては、撮影時間および編集時間が予め設定されており、使い慣れたユーザも、初めて使用するユーザも同じ制限時間内でゲームを行っていたため、使い慣れたユーザにとって、設定された制限時間が長すぎると待ち時間が長くなり、結果的に、回転率が悪くなるという課題があった。
【０００５】
また、反対に、初めて使用するユーザにとって、制限時間が短い場合、満足の得られないままの写真シールが印刷されてしまい、結果的に、ユーザが離れてしまうという課題があった。
【０００６】
本発明は、このような状況に鑑みてなされたものであり、ユーザの使用レベルに応じて制限時間を選択し、回転率を上げるようにするものである。
【０００７】
【課題を解決するための手段】
本発明の第１の画像印刷装置は、画像の撮影時間を制限する撮影制限時間を選択的に指定する指定入力を受け付ける第１の入力受付手段と、第１の入力受付手段により、指定入力として撮影制限時間短縮を選択する選択入力が受け付けられた場合、撮影制限時間を短く設定するとともに、撮影に関する機能を追加し、第１の入力受付手段により撮影制限時間の短縮を選択する選択入力が受け付けられなかった場合より、撮影に関する機能の数が多くなるように設定する設定手段と、設定手段により設定された撮影制限時間、および撮影に関する機能に基づいて、ユーザの撮影を行う撮影手段と、撮影手段により撮影されたユーザの画像を表示する表示手段と、表示手段により表示されたユーザの画像に対する編集入力を受け付ける第２の入力受付手段と、第２の入力受付手段により受け付けられた編集入力に基づいて、表示手段により表示されたユーザの画像を編集する編集手段と、編集手段により編集されたユーザの画像を印刷媒体に印刷する印刷手段とを備えることを特徴とする。
【０００８】
第１の入力受付手段は、例えば、タッチペンおよびタッチパネルにより、設定手段は、例えば、CPUにより、撮影手段は、例えば、ＣＣＤカメラにより、表示手段は、例えば、モニタにより、それぞれ構成される。また、第２の入力受付手段は、例えば、タッチペンおよびタッチパネルにより、編集手段は、例えば、CPUにより、印刷手段は、例えば、プリンタにより、それぞれ構成される。
【０００９】
本発明の第１の画像印刷装置においては、画像の撮影時間を制限する撮影制限時間を選択的に指定する指定入力が受け付けられ、指定入力として撮影制限時間短縮を選択する選択入力が受け付けられた場合、撮影制限時間が短く設定されるとともに、撮影に関する機能が追加され、撮影制限時間の短縮を選択する選択入力が受け付けられなかった場合より、撮影に関する機能の数が多くなるように設定され、その撮影制限時間、および撮影に関する機能に基づいて、ユーザの撮影が行われ、撮影されたユーザの画像が表示され、表示されたユーザの画像に対する編集入力が受け付けられ、その編集入力に基づいて、ユーザの画像が編集されて印刷媒体に印刷される。
【００１０】
これにより、ユーザの使用レベルに応じた制限時間のプレイを提供でき、プレイの回転率を上げることができる。さらに、プレイの回転率が上がることにより、ゲームセンタの１日の売上が増大すると共に、ユーザの待ち時間が軽減される。
【００１１】
前記設定手段は、撮影に関する機能として、撮影手段による撮影の撮影枚数を設定するようにすることができる。
【００１２】
以上の構成にすることで、例えば、ユーザの使用レベルに応じて、撮影制限時間だけでなく、撮影枚数も調整したプレイを提供でき、プレイの回転率を上げることができる。
【００１３】
前記設定手段は、撮影に関する機能として、撮影手段による撮影における撮影アングルの数を設定するようにすることができる。
【００１４】
以上の構成にすることで、例えば、ユーザの使用レベルに応じて、撮影制限時間だけでなく、撮影アングル数も調整したプレイを提供でき、プレイの回転率を上げることができる。
【００１５】
本発明の第１の画像印刷方法は、画像の撮影時間を制限する撮影制限時間を選択的に指定する指定入力を受け付ける第１の入力受付ステップと、第１の入力受付ステップの処理により、指定入力として撮影制限時間の短縮を選択する選択入力が受け付けられた場合、撮影制限時間を短く設定するとともに、撮影に関する機能を追加し、第１の入力受付ステップの処理により撮影制限時間の短縮を選択する選択入力が受け付けられなかった場合より、撮影に関する機能の数が多くなるように設定する設定ステップと、設定ステップの処理により設定された撮影制限時間、および撮影に関する機能に基づいて、ユーザの撮影を行うように制御する撮影制御ステップと、撮影制御ステップの処理により制御されて撮影されたユーザの画像を表示するように制御する表示制御ステップと、表示制御ステップの処理により制御されて表示されたユーザの画像に対する編集入力を受け付ける第２の入力受付ステップと、第２の入力受付ステップの処理により受け付けられた編集入力に基づいて、表示制御ステップの処理により制御されて表示されたユーザの画像を編集する編集ステップと、編集ステップの処理により編集されたユーザの画像を印刷媒体に印刷するように制御する印刷制御ステップとを含むことを特徴とする。
これにより、ユーザの使用レベルに応じたプレイが提供でき、さらに、プレイの回転率を上げることができる。
【００１６】
本発明の第１のプログラムは、第１の画像印刷方法をコンピュータに実行させることを特徴とする。
本発明の第１のプログラムは、所定の記録媒体に記録されて、例えば、ドライブにより読み出され、画像印刷装置にインストールされる。記録媒体は、フレキシブルディスクなどよりなる磁気ディスク、CD-ROM(Compact Disk Read Only Memory)、DVD-ROM(Digital Versatile Disk)などよりなる光ディスク、MD(Mini Disk)などよりなる光磁気ディスク、または半導体メモリなどより構成される。
これにより、ユーザの使用レベルに応じたプレイが提供でき、さらに、プレイの回転率を上げることができる。
【００１７】
本発明の第２の画像印刷装置は、撮影により得られた画像に対する編集入力の時間を制限する編集制限時間を選択的に指定する指定入力を受け付ける第１の入力受付手段と、第１の入力受付手段により、指定入力として編集制限時間の短縮を選択する選択入力が受け付けられた場合、編集制限時間を短く設定するとともに、編集入力に関する機能を追加し、入力受付手段により編集制限時間の短縮を選択する選択入力が受け付けられなかった場合より、編集入力に関する機能の数が多くなるように設定する設定手段と、ユーザの撮影を行う撮影手段と、撮影手段により撮影されたユーザの画像を表示する表示手段と、設定手段により設定された編集制限時間、および編集入力に関する機能に基づいて、表示手段により表示されたユーザの画像に対する編集入力を受け付ける第２の入力受付手段と、第２の入力受付手段により受け付けられた編集入力に基づいて、ユーザの画像を編集する編集手段と、編集手段により編集されたユーザの画像を印刷媒体に印刷する印刷手段とを備えることを特徴とする。
第１の入力受付手段は、例えば、タッチペンおよびタッチパネルにより、設定手段は、例えば、CPUにより、撮影手段は、例えば、ＣＣＤカメラにより、表示手段は、例えば、モニタにより、それぞれ構成される。また、第２の入力受付手段は、例えば、タッチペンおよびタッチパネルにより、編集手段は、例えば、CPUにより、印刷手段は、例えば、プリンタにより、それぞれ構成される。
【００１８】
本発明の第２の画像印刷装置においては、撮影により得られた画像に対する編集入力の時間を制限する編集制限時間を選択的に指定する指定入力が受け付けられ、指定入力として編集制限時間の短縮を選択する選択入力が受け付けられた場合、編集制限時間が短く設定されるとともに、編集入力に関する機能が追加され、編集制限時間の短縮を選択する選択入力が受け付けられなかった場合より、編集入力に関する機能の数が多くなるように設定され、ユーザの撮影が行われ、その撮影されたユーザの画像が表示され、設定された編集制限時間、および編集入力に関する機能に基づいて、表示されたユーザの画像に対する編集入力が受け付けられ、その編集入力に基づいて、ユーザの画像が編集されて印刷媒体に印刷される。
これにより、ユーザの使用レベルに応じた編集制限時間のプレイを提供でき、プレイの回転率を上げることができる。さらに、プレイの回転率が上がることにより、ゲームセンタの１日の売上が増大すると共に、ユーザの待ち時間が軽減される。
【００１９】
前記設定手段は、編集入力に関する機能として、第２の入力受付手段により受け付けられる編集入力の対象となる画像の枚数である編集枚数を設定するようにすることができる。
以上の構成にすることで、例えば、ユーザの使用レベルに応じて、編集制限時間だけでなく、編集枚数も調整したプレイを提供でき、プレイの回転率を上げることができる。
【００２０】
前記設定手段は、編集入力に関する機能として、ユーザが、第２の入力受付手段により受け付けられる編集入力の入力時において使用可能な入力ツールの種類の数を設定するようにすることができる。
以上の構成にすることで、例えば、ユーザの使用レベルに応じて、編集制限時間だけでなく、入力ツールの種類の数も調整したプレイを提供でき、プレイの回転率を上げることができる。
【００２１】
本発明の第２の画像印刷方法は、撮影により得られた画像に対する編集入力の時間を制限する編集制限時間を選択的に指定する指定入力を受け付ける第１の入力受付ステップと、第１の入力受付ステップの処理により、指定入力として編集制限時間短縮を選択する選択入力が受け付けられた場合、編集制限時間を短く設定するとともに、編集入力に関する機能を追加し、入力受付ステップの処理により編集制限時間の短縮を選択する選択入力が受け付けられなかった場合より、編集入力に関する機能の数が多くなるように設定する設定ステップと、ユーザの撮影を行うように制御する撮影制御ステップと、撮影制御ステップの処理により制御されて撮影されたユーザの画像を表示するように制御する表示制御ステップと、設定ステップの処理により設定された編集制限時間、および編集入力に関する機能に基づいて、表示制御ステップの処理により制御されて表示されたユーザの画像に対する編集入力を受け付ける第２の入力受付ステップと、第２の入力受付ステップの処理により受け付けられた編集入力に基づいて、ユーザの画像を編集する編集ステップと、編集ステップの処理により編集されたユーザの画像を印刷媒体に印刷するように制御する印刷制御ステップとを含むことを特徴とする。
これにより、ユーザの使用レベルに応じたプレイが提供でき、さらに、プレイの回転率を上げることができる。
【００２２】
本発明の第２のプログラムは、第２の画像印刷方法をコンピュータに実行させることを特徴とする。
本発明の第２のプログラムは、所定の記録媒体に記録されて、例えば、ドライブにより読み出され、画像印刷装置にインストールされる。記録媒体は、フレキシブルディスクなどよりなる磁気ディスク、CD-ROM(Compact Disk Read Only Memory)、DVD-ROM(Digital Versatile Disk)などよりなる光ディスク、MD(Mini Disk)などよりなる光磁気ディスク、または半導体メモリなどより構成される。
これにより、ユーザの使用レベルに応じたプレイが提供でき、さらに、プレイの回転率を上げることができる。
【００２３】
本発明の第３の画像印刷装置は、画像の撮影時間を制限する撮影制限時間、および、撮影により得られた画像に対する編集入力の時間を制限する編集制限時間を選択的に指定する指定入力を受け付ける第１の入力受付手段と、第１の入力受付手段により、指定入力として撮影制限時間および編集制限時間の短縮を選択する選択入力が受け付けられた場合、撮影制限時間および編集制限時間を短く設定するとともに、撮影に関する機能、編集入力に関する機能、および、撮影により得られた画像の印刷に関する機能の内、少なくとも１つを追加し、第１の入力受付手段により撮影制限時間および編集制限時間の短縮を選択する選択入力が受け付けられなかった場合より、撮影に関する機能、編集入力に関する機能、および、印刷に関する機能の内、少なくとも１つの機能の数が多くなるように設定する設定手段と、設定手段により設定された撮影制限時間に基づいて、ユーザの撮影を行う撮影手段と、撮影手段により撮影されたユーザの画像を表示する表示手段と、設定手段により設定された編集制限時間に基づいて、表示手段により表示されたユーザの画像に対する編集入力を受け付ける第２の入力受付手段と、第２の入力受付手段により受け付けられた編集入力に基づいて、表示手段により表示されたユーザの画像を編集する編集手段と、設定手段により設定された印刷に関する機能に基づいて、編集手段により編集されたユーザの画像を印刷媒体に印刷する印刷手段とを備えることを特徴とする。
第１の入力受付手段は、例えば、タッチペンおよびタッチパネルにより、設定手段は、例えば、CPUにより、撮影手段は、例えば、ＣＣＤカメラにより、表示手段は、例えば、モニタにより、それぞれ構成される。また、第２の入力受付手段は、例えば、タッチペンおよびタッチパネルにより、編集手段は、例えば、CPUにより、印刷手段は、例えば、プリンタにより、それぞれ構成される。
【００２４】
本発明の第３の画像印刷装置においては、画像の撮影時間を制限する撮影制限時間、および、撮影により得られた画像に対する編集入力の時間を制限する編集制限時間を選択的に指定する指定入力が受け付けられ、指定入力として撮影制限時間および編集制限時間の短縮を選択する選択入力が受け付けられた場合、撮影制限時間および編集制限時間が短く設定されるとともに、撮影に関する機能、編集入力に関する機能、および、撮影により得られた画像の印刷に関する機能の内、少なくとも１つが追加され、撮影制限時間および編集制限時間の短縮を選択する選択入力が受け付けられなかった場合より、撮影に関する機能、編集入力に関する機能、および、印刷に関する機能の内、少なくとも１つの機能の数が多くなるように設定され、その撮影制限時間および撮影に関する機能に基づいて、ユーザの撮影が行われ、撮影されたユーザの画像が表示され、編集制限時間および編集入力に関する機能に基づいて、表示されたユーザの画像に対する編集入力が受け付けられ、その編集入力に基づいて、表示されたユーザの画像が編集され、印刷に関する機能に基づいて印刷媒体に印刷される。
これにより、ユーザの使用レベルに応じた撮影制限時間および編集制限時間のプレイを提供でき、プレイの回転率を上げることができる。さらに、プレイの回転率が上がることにより、ゲームセンタの１日の売上が増大すると共に、ユーザの待ち時間が軽減される。
【００２５】
前記設定手段は、印刷に関する機能として、印刷手段により印刷される画像の種類数を設定するようにすることができる。
以上の構成にすることで、例えば、ユーザの使用レベルに応じて、撮影制限時間および編集制限時間だけでなく、印刷される画像の種類数も調整したプレイを提供でき、プレイの回転率を上げることができる。
【００２６】
前記設定手段は、撮影に関する機能として、撮影手段による撮影の撮影枚数を設定し、撮影手段は、設定手段により設定された撮影制限時間が経過するか、撮影枚数に達するまでユーザの撮影を行うようにすることができる。
【００２７】
これにより、例えば、ユーザの使用レベルに応じて撮影枚数を調整したプレイを提供することができる。
【００２８】
前記設定手段は、撮影に関する機能として、撮影手段による撮影における撮影アングルの数を設定し、撮影手段は、設定手段により設定された撮影アングル数を超えない範囲でユーザの撮影を行うようにすることができる。
これにより、例えば、ユーザの使用レベルに応じて撮影アングル数を調整したプレイを提供することができる。
【００２９】
前記設定手段は、編集入力に関する機能として、第２の入力受付手段により受け付けられる編集入力の対象となる画像の枚数である編集枚数を設定し、第２の入力受付手段は、設定手段により設定された編集制限時間が経過するか、編集枚数に達するまでユーザが入力する編集入力を受け付けるようにすることができる。
【００３０】
これにより、例えば、ユーザの使用レベルに応じて編集枚数を調整したプレイを提供することができる。
【００３１】
前記設定手段は、編集入力に関する機能として、ユーザが、第２の入力受付手段により受け付けられる編集入力の入力時において使用可能な入力ツールの種類の数を設定し、第２の入力受付手段は、設定手段により設定された編集制限時間において、ユーザが入力ツールを用いて入力する編集入力を受け付けるようにすることができる。
これにより、例えば、ユーザの使用レベルに応じて入力ツールの種類の数を調整したプレイを提供することができる。
【００３２】
本発明の第３の画像印刷方法は、画像の撮影時間を制限する撮影制限時間、および、撮影により得られた画像に対する編集入力の時間を制限する編集制限時間を選択的に指定する指定入力を受け付ける第１の入力受付ステップと、第１の入力受付ステップの処理により、指定入力として撮影制限時間および編集制限時間の短縮を選択する選択入力が受け付けられた場合、撮影制限時間および編集制限時間を短く設定するとともに、撮影に関する機能、編集入力に関する機能、および、撮影により得られた画像の印刷に関する機能の内、少なくとも１つを追加し、第１の入力受付ステップの処理により撮影制限時間および編集制限時間の短縮を選択する選択入力が受け付けられなかった場合より、撮影に関する機能、編集入力に関する機能、および、印刷に関する機能の内、少なくとも１つの機能の数が多くなるように設定する設定ステップと、設定ステップの処理により設定された撮影制限時間および撮影に関する機能に基づいて、ユーザの撮影を行うように制御する撮影制御ステップと、撮影制御ステップの処理により撮影されたユーザの画像を表示するように制御する表示制御ステップと、設定ステップの処理により設定された編集制限時間および編集入力に関する機能に基づいて、表示制御ステップの処理により制御されて表示されたユーザの画像に対する編集入力を受け付ける第２の入力受付ステップと、第２の入力受付ステップの処理により受け付けられた編集入力に基づいて、表示制御ステップの処理により制御されて表示されたユーザの画像を編集する編集ステップと、設定ステップの処理により設定された印刷に関する機能に基づいて、編集ステップの処理により編集されたユーザの画像を印刷媒体に印刷するように制御する印刷制御ステップとを含むことを特徴とする。
本発明の第３のプログラムは、第３の画像印刷方法をコンピュータに実行させることを特徴とする。
本発明の第３のプログラムは、所定の記録媒体に記録されて、例えば、ドライブにより読み出され、画像印刷装置にインストールされる。記録媒体は、フレキシブルディスクなどよりなる磁気ディスク、CD-ROM(Compact Disk Read Only Memory)、DVD-ROM(Digital Versatile Disk)などよりなる光ディスク、MD(Mini Disk)などよりなる光磁気ディスク、または半導体メモリなどより構成される。
これにより、ユーザの使用レベルに応じたプレイが提供でき、さらに、プレイの回転率を上げることができる。
【００３３】
【発明の実施の形態】
図１は、本発明を適用した画像印刷装置１の外観の構成を示している。図１において、画像印刷装置１の筐体１１の、床に対して垂直な面１１Ａには、照明装置１６−Ｒおよび照明装置１６−Ｌが配置されている。また、面１１Ａには、利用者を撮影するためのＣＣＤ（Ｃｈａｒｇｅ  Ｃｏｕｐｌｅｄ  Ｄｅｖｉｃｅ）カメラ１８、および撮影画像表示部１９からなる撮影装置１７が設けられている。照明装置１６−Ｒ、および照明装置１６−Ｌ（以下、区別の必要が無い場合、照明装置１６と称する）は、通常、ユーザを照らす照明として機能すると共に、ユーザの撮影時にはフラッシュとしても機能する。ＣＣＤカメラ１８が撮影している取り込み画像は、ＣＣＤカメラ１８の下方に設けられている撮影画像表示部１９に表示される。
【００３４】
筐体１１の面１１Ｂには、例えば、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）などよりなるモニタ１５が設置されている。モニタ１５には、透明なタッチパネル５２（図２）が積層されている。モニタ１５は、撮影方法を案内する画像、撮影装置１７により撮影された被写体の画像、および、編集操作の案内などを表示する。タッチパネル５２（図２）には、モニタ１５に表示された各種の選択要求に対して、ユーザが、タッチペン１４で軽く触れることにより、ユーザからの指示を入力することができる。また、モニタ１５に表示された画像に対して、タッチペン１４でタッチパネル５２上に触れる事により落書きなどの入力を受け付ける。タッチペン１４は、使用時以外のときは、面１１Ｂに設置されている差込口（図示しない）に差し込まれている。
【００３５】
筐体１１の面１１Ｃには、硬貨の投入を受け付ける硬貨投入口１２、および、案内用スピーカ１３が設置されている。案内用スピーカ１３は、ユーザに対して、撮影方法および編集方法を案内する音声を出力すると共に、ユーザがいない場合、画像印刷装置１の利用案内用の音声を出力するようになされている。
【００３６】
筐体１１の側面１１Ｄには、シール取り出し口２０が設置されている。シール取り出し口２０は、編集済みの画像が印刷されたシール紙を排出し、ユーザに提供する。
【００３７】
図２は、図１の画像印刷装置１の内部の構成例を示すブロック図である。図１において説明した部分については、その説明を省略する。
【００３８】
ＣＰＵ（Ｃｅｎｔｒａｌ  Ｐｒｏｃｅｓｓｉｎｇ  Ｕｎｉｔ）４１は、ＲＯＭ（Ｒｅａｄ  Ｏｎｌｙ  Ｍｅｍｏｒｙ）４２に記憶されているプログラム、または、プログラム記憶部４４からＲＡＭ（Ｒａｎｄｏｍ  Ａｃｃｅｓｓ  Ｍｅｍｏｒｙ）４３にロードしたプログラムに従って画像印刷装置１の全体の動作をバス５０を介して制御する。ＲＡＭ４３にはまた、ＣＰＵ４１が各種の処理を実行する上において必要なデータなどが適宜記憶される。
【００３９】
プログラム記憶部４４は、ハードディスクやそのドライブからなり、ＣＰＵ４１が実行する様々なプログラムなどを記憶する。ドライブ４５は、フレキシブルディスクやハードディスクなどの磁気ディスクや、ＣＤ−ＲＯＭ，ＤＶＤなどの光ディスクなどの記録媒体に記憶されているプログラムを読み出し、バス５０を介してプログラム記憶部４４などに供給する。例えば、ドライブ４５からは、被写体の画像と合成する新たなフレーム画像などが供給される。また、プログラム記憶部４４には、画像印刷装置１の一連の処理中にモニタ１５に表示する各種画像データ、並びに、案内用スピーカ１３から出力する各種音声データが記録されている。
【００４０】
撮影装置１７には、ＣＣＤカメラ１８、ＣＣＤカメラ制御部４６、および撮影画像表示部１９が含まれている。ＣＣＤカメラ制御部４６は、タッチペン１４からの操作入力に従って、ＣＣＤカメラのズーム率、および取り込む光量などを制御する。
【００４１】
撮影画像記憶部４７は、撮影装置１７で撮影された画像のうち、ユーザが所望する画像を所定の画像記憶枚数だけ記憶し、編集処理を行う際に、適宜、これらの画像を表示プロセッサ５１に供給する。
【００４２】
硬貨処理部４８は、硬貨投入部１２より硬貨が投入されると、投入された硬貨の合計金額を算出し、その合計金額が、画像印刷装置１の１回使用量として、予め設定されている所定の金額に達していると判断すると、ＣＰＵ４１に通知する。
【００４３】
プリンタ４９は、予め保存してある数種類の分割パターンのシール台紙の中から、ユーザが所望するシール台紙を選択し、編集処理の終わった画像を、そのシール台紙に印刷し、印刷したシール台紙を、シール取り出し口２０から、ユーザに提供する。
【００４４】
表示プロセッサ５１は、撮影方法の案内、および編集方法の案内などに用いられる画面の入力を受けると、これをモニタ１５に表示させる。また、表示プロセッサ５１は、編集処理に際して、撮影画像記憶部４７からバス５０を介して転送されてくる画像を、内蔵するメモリ（図示しない）に記憶する。そして、表示プロセッサ５１は、タッチパネル５２上に、タッチペン１４で編集操作が入力されると、編集対象画像上における、その入力位置を検出し、編集対象画像に反映させてモニタ１５に表示させる。
【００４５】
タッチパネル５２は、モニタ１５に積層されており、モニタ１５に表示された各種の選択要求に対応する領域を、ユーザが、タッチペン１４で軽く触れることにより、ユーザからの指示を入力することができる。また、タッチパネル５２は、モニタ１５に表示された撮影画像に対して、タッチペン１４により、落書き（編集）などを行うと、タッチペン１４による入力データは、タッチパネル５２により検出され、入力データとして表示プロセッサ５１のメモリに書き込まれる。
【００４６】
音声出力制御部５３は、適宜、記録媒体に記録され、プログラム記憶部４４により読み出された撮影案内用音声データを、案内用スピーカ１３に供給し、出力させる。
【００４７】
次に、図３のフローチャートを参照して、図１の画像印刷装置１の画像印刷処理について説明する。この画像印刷装置１において、画像記憶枚数（以下、撮影枚数と称する）は３枚、編集（落書）可能枚数（以下、編集枚数と称する）は２枚、および、印刷可能な画像の種類の数（以下、印刷する画像の種類数と称する）は２枚というように、標準設定として予め設定されている。さらに、撮影制限時間および編集（落書）制限時間も、予め設定されている。
【００４８】
ステップＳ１において、ＣＰＵ４１は、プログラム記憶部４４に記憶されている、撮影の進行方法などのデモンストレーション画面（以下、デモ画面と称する）を、表示プロセッサ５１を制御し、モニタ１５に表示させる。
【００４９】
ステップＳ２において、ＣＰＵ４１は、硬貨処理部４８からの出力に基づいて、所定の金額（画像印刷装置１の１回使用量として予め設定されている）が投入されたか否かを判定し、所定の金額が投入されたと判定するまでデモ画面を表示して待機する。一方、ＣＰＵ４１は、所定の金額が投入されたと判定した場合、ステップＳ３に進み、プレイモード選択処理を実行する。図４のフロ−チャートに基づいて、この画像印刷装置１のプレイモード選択処理を説明する。
【００５０】
まず、図５を参照して、プレイモードの詳細を説明する。プレイモードは、画像印刷装置１を使用するユーザの使用レベルに合わせた撮影制限時間および編集制限時間を組み合わせて構成される。この画像印刷装置１を使用するユーザの中には、普段からあまり使わないユーザ、および、使い慣れているユーザなどが含まれる。図５に示されるように、画像印刷装置１をあまり使わないユーザにとって、予め設定されている撮影制限時間は、時間が、ちょうど、または足りない長さである場合が多い。
【００５１】
しかしながら、画像印刷装置１を使い慣れているユーザにとって、その予め設定されている撮影制限時間は、長すぎて、余ってしまう場合が多い。余った撮影制限時間は、画像印刷装置１におけるプレイの回転率を悪くするばかりでなく、ユーザに「もっと撮影できるのに」という欲求を感じさせてしまう要因になる。そこで、ユーザに使用レベルに合ったプレイモードを選択させ、ユーザが短い撮影制限時間を選択した場合、ＣＰＵ４１は、撮影制限時間を短く設定するとともに、撮影枚数を追加設定する。これにより、撮影アングルが増えるので、画像印刷装置１を使い慣れているユーザに満足度を与え、かつ、画像印刷装置１の回転率を向上させることができる。
【００５２】
また、同様に、画像印刷装置１をあまり使わないユーザにとって、予め設定されている編集制限時間は、時間が、ちょうど、または足りない長さである場合が多い。逆に、画像印刷装置１を使い慣れているユーザにとって、予め設定されている編集制限時間は、長すぎて、余ってしまうことが多い。余った編集制限時間は、画像印刷装置１の回転率を悪くするばかりでなく、ユーザに、「もっと落書できるのに」という欲求を感じさせてしまう要因になる。そこで、ユーザに使用レベルに合ったプレイモードを選択させ、ユーザが短い編集制限時間を選択した場合、ＣＰＵ４１は、編集制限時間を短く設定するとともに、編集（落書）枚数を追加し、または、予め設定されている編集制限時間を選んだ場合では使用できない特殊な入力（落書）ツールを使用できるように設定する。これにより、画像印刷装置１を使い慣れているユーザに満足度を与え、かつ、画像印刷装置１の回転率を向上させることができる。
【００５３】
そこで、ステップＳ２１において、ＣＰＵ４１は、表示プロセッサ５１を制御し、図６に示されるように、プレイモード選択画面をモニタ１５に表示させる。
【００５４】
図６は、プレイモードをユーザに選択させるためのプレイモード選択画面の一例である。このプレイモード選択画面において、ユーザは、通常モード１０１およびささっとモード１０２の中から好みのプレイモードを選択できる。通常モード１０１を選択した場合、ユーザは、予め設定された撮影制限時間内に、予め設定された２枚の画像を撮影し、および、予め設定された編集制限時間内に、予め設定された２枚の画像を落書（編集）することができる。なお、通常モード１０１の「４分」は、全体での制限時間（例えば、撮影制限時間２分＋編集制限時間２分）を表わしている。
【００５５】
一方、ささっとモード１０２を選択した場合、ユーザは、予め設定された撮影制限時間よりも短い撮影制限時間内に、予め設定された２枚より多い３枚の画像を撮影し、および、予め設定された編集制限時間よりも短い編集制限時間内に、予め設定された２枚より多い３枚の画像を編集することができる。なお、ささっとモード１０２の「３分」は、全体での制限時間（例えば、撮影制限時間１．５分＋編集制限時間１．５分）を表わしている。
【００５６】
すなわち、ユーザは、ささっとモード１０２を選択した場合、通常モード１０１を選択した場合より、撮影制限時間および編集制限時間が短くなる代わりに、通常モード１０１を選択した場合より、多くの画像を撮影でき、多くの画像を編集することができる。
【００５７】
そこで、ユーザは、タッチペン１４を用いて、通常モード１０１あるいはささっとモード１０２を選択する。この選択に対して、ステップＳ２２において、ＣＰＵ４１は、タッチパネル５２からの出力に基づいて、撮影制限時間の短縮が選択された（ささっとモード１０２が選択された）か否かを判断する。
【００５８】
ステップＳ２２において、撮影制限時間の短縮が選択されたと判断された場合、ステップＳ２３において、ＣＰＵ４１は、撮影枚数を予め設定されている３枚より多い４枚に設定し、予め設定されている撮影制限時間を短く設定する。ステップＳ２２において、撮影制限時間の短縮が選択されなかった（通常モード１０１が選択された）と判断された場合、ステップＳ２３の処理はスキップされる。したがって、撮影枚数は、予め設定されている３枚であり、撮影制限時間は予め設定されたままの撮影制限時間である。
【００５９】
ステップＳ２４において、ＣＰＵ４１は、撮影処理を実行する。図７のフローチャートを参照して、この撮影処理を説明する。
【００６０】
ステップＳ５１において、ＣＰＵ４１は、撮影装置１７を制御し、図示せぬフットスイッチより入力されるユーザからの撮影指示に従って、ユーザ（被写体）を撮影させ、撮影した画像を撮影画像記憶部４７に記憶させる。
【００６１】
ステップＳ５２において、ＣＰＵ４１は、このとき設定されている撮影枚数に達したか否か、あるいは、内蔵するクロック（図示しない）で計時動作を行って、このとき設定されている撮影制限時間を経過したか否かを判断し、設定されている撮影枚数に達した、あるいは、設定されている撮影制限時間を経過したと判断するまで、ステップＳ５１の処理を繰り返す。ステップＳ５２において、ＣＰＵ４１は、設定されている撮影枚数に達した、あるいは、設定されている撮影制限時間を経過したと判断した場合、撮影処理を終了し、図４のステップＳ２５に進む。
【００６２】
ステップＳ２５において、ＣＰＵ４１は、ステップＳ２１のユーザの選択に基づいて、編集制限時間の短縮が選択されたか否かを判断し、編集制限時間の短縮が選択された（ささっとモード１０２が選択された）と判断した場合、ステップＳ２６において、ＣＰＵ４１は、編集枚数を予め設定されている２枚より多い３枚に設定し、予め設定されている編集制限時間を短く設定する。ステップＳ２５において、編集制限時間の短縮が選択されなかった（通常モード１０１が選択された）と判断された場合、ステップＳ２６の処理はスキップされる。したがって、編集枚数は、予め設定されている２枚であり、編集制限時間は予め設定されたままの編集制限時間である。
【００６３】
ステップＳ２７において、ＣＰＵ４１は、画像編集処理を実行する。図８のフローチャートを参照して、図４のステップＳ２７の画像編集処理を説明する。
【００６４】
ステップＳ７１において、表示プロセッサ５１は、撮影画像記憶部４７に記憶された複数の撮影画像を読み出し、モニタ１５に並べて表示すると共に、ユーザに、設定されている編集枚数分の撮影画像の選択を促す画像を表示する。なお、例えば、撮影枚数が３枚で編集枚数が２枚の場合のように、撮影された画像全部は、編集できないこともある。ユーザが、タッチペン１４でタッチパネル５２の該当部分を触れることにより、編集する撮影画像の選択を入力すると、ステップＳ７２に進む。
【００６５】
ステップＳ７２において、表示プロセッサ５１は、ステップＳ７１で選択された撮影画像のうちの１枚を、図９に示されるように、モニタ１５に表示させ、ユーザに、タッチペン１４を用いて、編集操作を入力するよう促す。
【００６６】
図９は、モニタ１５に表示される画像編集画面の例を示す図である。画像編集画面は、基本的に、編集対象画像表示部１２１および入力ツール選択部１２２から構成される。編集対象画像表示部１２１には、撮影された画像が表示され入力ツール選択部１２２には、様々な入力ツール（書き込みツール）を選択するとき操作されるボタンが表示され、ユーザは、この中から、タッチペン１４を操作して入力ツールを選択する。
【００６７】
入力ツールには、例えば、手書き文字や図形を書き込むとき使用されるペンツール１２３や、設定された文字を入力するとき使用される文字ツール１２４、同一の文字や図形を入力するとき使用されるスタンプツール１２５、および、それらを消去したいときに使用する消しゴムツール１２６などがある。そして、ペンツール１２３が選択されたとき、ペンの太さを選択するウインドウや、ペンの種類（例えば、クレヨンのように、線の一部をかすれたように表示する「クレヨンペン」）、ペンの色（例えば、シアン、マゼンタ、イエローおよびブラックで表わされる色）を選択するウインドウが表示される。また、文字ツール１２４またはスタンプツール１２５が選択されたときも同様に、文字またはスタンプを選択するウインドウが表示される。
【００６８】
ステップＳ７３において、タッチパネル５２は、タッチペン１４からの入力を受け、これを表示プロセッサ５１に供給する。表示プロセッサ５１は、供給された入力を基に、撮影画像を編集、および記憶し、タッチペン１４による入力を受ける度に、記憶している撮影画像データを逐一更新する。
【００６９】
ステップＳ７４において、表示プロセッサ５１は、編集された撮影画像をモニタ１５に表示および記憶する。
【００７０】
ステップＳ７５において、ＣＰＵ４１は、選択された編集枚数分の画像の編集が終了したか否か、あるいは、内蔵するクロックで計時動作を行って、設定されている編集制限時間を経過したか否かを判断し、編集枚数分の画像の編集が終了した、あるいは、設定されている編集制限時間を経過したと判断した場合、編集処理を終了し、図４のステップＳ２８に進む。ステップＳ７５において、編集枚数分の画像の編集が終了していない、および、設定されている編集制限時間を経過していないと判断された場合、ＣＰＵ４１は、ステップＳ７２に戻り、それ以降の処理を繰り返す。
【００７１】
図４のステップＳ２８において、ＣＰＵ４１は、ステップＳ２１の選択に基づいて、撮影および編集制限時間の短縮が選択されたか否かを判断し、撮影および編集制限時間の短縮が選択された（ささっとモード１０２が選択された）と判断した場合、ステップＳ２９において、ＣＰＵ４１は、印刷する画像の種類数を予め設定された２枚より多い３枚に設定する。ステップＳ２８において、撮影および編集制限時間の短縮が選択されなかった（通常モード１０１が選択された）場合、ステップＳ２９の処理はスキップされる。したがって、印刷する画像の種類数は、予め設定された２枚である。
【００７２】
ステップＳ３０において、ＣＰＵ４１は、表示プロセッサ５１を制御し、撮影画像記憶部４７に記憶された複数の撮影画像データおよび編集画像データを読み出し、モニタ１５に並べて表示すると共に、ユーザに、設定された印刷する画像の種類数分の画像データの選択を促す画像を表示する。なお、例えば、撮影枚数（撮影画像）が４枚、編集枚数（編集画像）が３枚、および印刷する画像の種類数が３枚の場合、ユーザは、印刷する画像の種類数の３枚を撮影画像データ（未編集の）１枚と編集画像データ（編集済み）２枚を選択してもよいし、編集画像データ（編集済み）のみを３枚を選択してもよい。ユーザが、タッチペン１４でタッチパネル５２の該当部分を触れることにより、画像データの選択を入力すると、ステップＳ３１に進む。
【００７３】
ステップＳ３１において、ＣＰＵ４１は、選択された画像データに基づいて、印刷データを作成し、図３のステップＳ４に進む。
【００７４】
ステップＳ４において、ＣＰＵ４１は、プリンタ４９を制御し、図４のステップＳ３１で作成した印刷データをシール台紙に印刷させる。
【００７５】
ステップＳ５において、プリンタ４９は、ステップＳ４で画像データが印刷されたシール台紙を、シール取り出し口２１より排出し、ユーザに提供する。なお、予め設定された印刷する画像の種類数が２枚の場合、図１０Ａに示されるように、２種類の画像データのシール（画像データａが７枚、および画像データｂが７枚のシール）で組み合わされたシール台紙がユーザに提供される。一方、ステップＳ２９において、ＣＰＵ４１により、印刷する画像の種類数が３枚に設定された場合、図１０Ｂに示されるように、３種類の画像データのシール（画像データａが５枚、画像データｂが５枚、および画像データｃが４枚のシール）で組み合わされたシール台紙がユーザに提供される。
【００７６】
以上のように、ユーザの画像印刷装置１の使用レベル（慣れ不慣れ）に合わせて、プレイ時間（撮影制限時間あるいは編集制限時間）を選択できるようにしたので、短縮時間を設定した場合には、プレイの回転率が向上され、さらに、撮影枚数、編集枚数および印刷する画像の種類数を増やすなどのプレミアを付けるようにしたので、ユーザの満足度を高めるようにできる。
【００７７】
上記において、図６のプレイモード選択画面の通常モード１０１あるいはささっとモード１０２は、撮影制限時間および編集制限時間を短縮するか否かを一度に選択する場合を説明したが、次に、撮影制限時間あるいは編集制限時間のどちらか一方を短縮させるようなプレイモード選択画面の例を、図１１および図１２を参照して説明する。
【００７８】
図１１は、プレイモード選択画面の他の一例である。プレイモード選択画面において、ユーザは、通常モード１４１、撮影ささっとモード１４２、編集ささっとモード１４３および全体ささっとモード１４４の中から好みのプレイモードを選択できる。通常モード１４１は、この画像印刷装置１をあまり使用しないユーザ向けのプレイモードであり、通常モード１４１が選択された場合、予め設定されている撮影制限時間および編集制限時間（プレイ全体の制限時間は４分）でのプレイが実行される。したがって、図１２Ａに示されるように、通常モード１４１は、プレミアが付加されていない、予め設定されたままの構成（撮影枚数：３枚、編集枚数：２枚および印刷する画像の種類数：２枚の構成）になる。
【００７９】
撮影ささっとモード１４２は、早く撮影し、ゆっくり編集したいユーザ向けのプレイモードであり、撮影ささっとモード１４２が選択された場合、予め設定されている撮影制限時間のみを短縮させた制限時間（プレイ全体の制限時間は３．５分）でのプレイが実行される。したがって、図１２Ｂに示されるように、撮影ささっとモード１４２は、撮影枚数が追加されている構成（撮影枚数：４枚、編集枚数：２枚および印刷する画像の種類数：２枚の構成）になる。これにより、ユーザは、多くの撮影した画像から、印刷する画像を選択できるので、選択の範囲が広がる効果がある。
【００８０】
落書ささっとモード１４３は、ゆっくり撮影し、早く落書をしたいユーザ向けのプレイモードで、落書ささっとモード１４３が選択された場合、予め設定されている編集制限時間のみ短縮させた制限時間（プレイ時間の制限時間は３．５分）でのプレイが実行でされる。したがって、図１２Ｃに示されるように、落書ささっとモード１４３は、編集枚数が追加されている構成（撮影枚数：３枚、編集枚数：３枚および印刷する画像種類の枚数：２枚の構成）になる。これにより、ユーザは、何種類かの編集した画像の中から、印刷する画像を選択できるので、気に入った落書のシールのみを印刷、取得できる。
【００８１】
全体ささっとモード１４４は、この画像印刷装置１に慣れたユーザ向けのプレイモードで、全体ささっとモード１４４が選択された場合、予め設定されている撮影制限時間および編集制限時間を短縮させた制限時間（プレイ時間の制限時間は３分）でのプレイが実行される。したがって、図１２Ｄに示されるように、全体ささっとモード１４４は、編集枚数および印刷する画像の種類数が追加されている構成（撮影枚数：４枚、編集枚数：３枚および印刷する画像種類の枚数：３枚の構成）になる。これにより、ユーザは、多くの画像の種類のシールを、同額料金で取得できる。
【００８２】
以上のように、プレイモード選択画面は、画像印刷装置１において、その画像印刷装置１を使用するユーザの嗜好に合わせて、２種類以上の組み合わせを自由に設定することができる。
【００８３】
上記説明においては、編集制限時間を短縮した場合、編集枚数が追加されたが、次に、図１３のプロ−チャートを参照して、この画像処理印刷装置の図３のステップＳ３におけるプレイモード選択処理の他の例を説明する。
【００８４】
ステップＳ９１において、ＣＰＵ４１は、図１４に示されるように、プレイモード選択画面を表示プロセッサ５１を制御し、モニタ１５に表示させる。
【００８５】
図１４は、プレイモードをユーザに選択させるためのプレイモード選択画面の一例である。図１４のプレイモード選択画面において、ユーザは、通常モード１５１、およびささっとモード１５２の中から好みのプレイモードを選択できる。通常モード１５１を選択した場合、ユーザは、予め設定されている撮影制限時間内に、予め設定されている２枚の画像を撮影し、および、予め設定された編集制限時間内に、予め設定されている２枚の画像を落書（編集）することができる。一方、ささっとモード１５２を選択した場合、ユーザは、予め設定されている撮影制限時間内に、予め設定されてる２枚より多い３枚の画像を撮影し、さらに、予め設定された編集制限時間よりも短い編集制限時間内に、通常モードでは使用することのできない特殊な入力ツールを用いて、予め設定されている２枚分の画像を編集することができる。
【００８６】
すなわち、ユーザは、ささっとモード１５２を選択した場合、通常モード１５１を選択した場合より、撮影制限時間および編集制限時間が短い代わりに、通常モード１５１を選択した場合より、多くの画像を撮影でき、さらに、特殊な入力ツールを用いて、画像を編集することができる。
【００８７】
そこで、ユーザは、タッチペン１４を用いて、通常モード１５１あるいはささっとモード１５２を選択する。この選択に対して、ステップＳ９２において、ＣＰＵ４１は、タッチパネル５２からの出力に基づいて、撮影制限時間の短縮が選択された（ささっとモード１５２が選択された）か否かを判断する。
【００８８】
ステップＳ９２において撮影制限時間の短縮が選択されたと判断された場合、ステップＳ９３において、ＣＰＵ４１は、撮影枚数を予め設定された３枚より多い４枚に設定し、予め設定された撮影制限時間より短く設定する。ステップＳ９２において、撮影制限時間の短縮が選択されなかった（通常モード１５１が選択された）と判断された場合、ステップＳ９３の処理は、スキップされる。したがって、撮影枚数は、予め設定された３枚であり、撮影制限時間は予め設定されたままの撮影制限時間である。
【００８９】
ステップＳ９４において、ＣＰＵ４１は、撮影処理を実行する（図４ステップＳ２４と同様）。
【００９０】
ステップＳ９５において、ＣＰＵ４１は、ステップＳ９１の選択に基づいて、編集制限時間の短縮が選択されたか否かを判断し、編集制限時間の短縮が選択された（ささっとモード１５２が選択された）と判断した場合、ステップＳ９６において、ＣＰＵ４１は、特殊入力ツールを使用可能に設定し、予め設定された編集制限時間より短く設定する。ステップＳ９５において、編集制限時間の短縮が選択されなかった（通常モード１５１が選択された）と判断された場合、ステップＳ９６の処理はスキップされる。したがって、編集枚数は、予め設定された２枚であり、特殊入力ツールは、使用不可能に設定されている。
【００９１】
ステップＳ９７において、ＣＰＵ４１は、画像編集処理を実行する。図１５のフローチャートを参照して、この画像編集処理を説明する。
【００９２】
ステップＳ１２１において、表示プロセッサ５１は、撮影画像記憶部４７に記憶された複数の撮影画像を読み出し、モニタ１５に並べて表示すると共に、ユーザに、設定された編集枚数分の撮影画像の選択を促す画像を表示する。なお、例えば、撮影枚数が３枚で編集枚数が２枚の場合のように、撮影された画像全部が、編集できるとは限らない。ユーザが、タッチペン１４でタッチパネル５２の該当部分を触れることにより、撮影画像の選択を入力すると、ステップＳ１２２に進む。
【００９３】
ステップＳ１２２において、ＣＰＵ４１は、図１３のステップＳ９６において特殊入力ツールを使用可能に設定されたか否かを判断し、特殊入力ツールを使用可能に設定されたと判断した場合、ステップＳ１２３において、表示プロセッサ５１は、ステップＳ１２２で選択された撮影画像のうちの１枚とともに、図１６に示されるように、特殊入力ツール用の画像編集画面をモニタ１５に表示させ、ユーザに、入力ペン１４を用いて、編集操作を入力するよう促す。
【００９４】
図１６は、モニタ１５に表示される特殊入力ツール用の画像編集画面の一例を示す図である（尚、図１６において、図９における場合と対応する部分には対応する符号を付してあり、その説明は繰り返しになるので省略する）。特殊入力ツール用の画像編集画面は、編集対象画像表示部１２１の右側に、入力ツール選択部１２２を有し、左側に特殊入力ツール選択部１６１を有する。特殊入力ツール選択部１６１には、入力ツール選択部１２２には表されない様々な特殊入力ツール（書き込みツール）を選択するとき操作されるボタンが表示され、ユーザは、この中から、タッチペン１４を操作して特殊入力ツールを選択する。
【００９５】
特殊入力ツールには、例えば、金色や銀色の特殊色（標準のシアン、マゼンタ、イエローおよびブラックでは表現できない特殊な色）を用いて、手書き文字や図形を書き込むとき使用される金銀ペンツール１６２や、設定された特殊文字（丸文字など）を入力するとき使用される特殊文字ツール１６３、および、同一の文字や図形を連続して入力するとき使用される連続スタンプツール１６４などがある。さらに、連続スタンプツール１６４の図形には、通常のスタンプツール１２５では入力することのできない、太陽マークや花マークのような特殊なマークを連続入力することができる。
【００９６】
ステップＳ１２２において、特殊入力ツールが使用可能ではないと判断された場合、ステップＳ１２４において、表示プロセッサ５１は、ステップＳ１２２で選択された撮影画像のうちの１枚とともに、図９で上述したように、通常の画像編集画面をモニタ１５に表示させ、ユーザに、入力ペン１４を用いて、編集操作を入力するよう促す。
【００９７】
図１５のステップＳ１２５乃至ステップＳ１２７の処理は、図８のステップＳ７３乃至ステップＳ７５の処理と同様の処理を行うため、繰り返しになるので、その説明を省略する。
【００９８】
さらに、図１３のステップＳ９８乃至ステップＳ１０１の処理は、図４のステップＳ２８乃至ステップＳ３１の処理と同様の処理を行うため、繰り返しになるので、その説明を省略する。なお、このプレイモード選択処理において、ユーザは、通常プレイモード１５１を選択した場合、図１７Ａに示されるように、入力ツールを用いて図形ｄが編集（落書）されたシールを取得できる。一方、ユーザは、ささっとモード１５２を選択した場合、図１７Ｂに示されるように、特殊入力ツールを用いて太陽の連続図形ｅまたは花の連続図形ｆが編集（落書）された、カラフルなシールを取得することができる。
【００９９】
以上のように、ユーザの画像印刷装置１の使用レベル（慣れ不慣れ）に合わせて、プレイ時間を選択できるようにすることにより、撮影および編集制限時間を短く設定した場合、回転率が向上され、さらに、撮影枚数および印刷する種類を増やし、編集において特殊な入力ツールを使用できるなどのプレミアを付けるようにすることにより、ユーザの満足度が促進される。
【０１００】
また、以上において、印刷媒体はシール台紙として説明したが、シール台紙に限られるものではなく、例えば、所定のサイズの紙や、ポスター用の紙などに印刷するようにしてもよい。また、撮影した画像データを、ユーザが自ら用意したフレキシブルディスクなどの記録媒体に記録させることができるようにしてもよい。
【０１０１】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【０１０２】
【発明の効果】
以上の如く、本発明の画像印刷装置および方法、プログラム、並びに印刷媒体によれば、２種類以上の制限時間のうち少なくとも一方を選択入力するようにしたので、ユーザの使用レベルに応じた制限時間のプレイを提供でき、プレイの回転率を上げることができる。プレイの回転率が上がることにより、ゲームセンタの１日の売上が増大すると共に、ユーザの待ち時間が軽減される。
【図面の簡単な説明】
【図１】本発明を適用した画像印刷装置の外観の構成例を示す図である。
【図２】図１の画像印刷装置の構成例を示すブロック図である。
【図３】図１の画像印刷装置の画像印刷処理を説明するフローチャートである。
【図４】図３のステップＳ３のプレイモード選択処理の例を説明するフローチャートである。
【図５】図１の画像印刷装置を使用するユーザの使用レベルを説明する図である。
【図６】プレイモード選択画面を説明する図である。
【図７】図４のステップＳ２４の撮影処理の例を説明するフローチャートである。
【図８】図４のステップＳ２７の画像編集処理の例を説明するフローチャートである。
【図９】画像編集画面を説明する図である。
【図１０】図１の画像印刷装置で印刷されたシール台紙を説明する図である。
【図１１】プレイモード選択画面の他の例を説明する図である。
【図１２】プレイモードを説明する図である。
【図１３】図３のステップＳ３のプレイモード選択処理の他の例を説明するフローチャートである。
【図１４】プレイモード選択画面の他の例を説明する図である。
【図１５】図１３のステップＳ９７の画像編集処理の例を説明するフローチャートである。
【図１６】特殊入力ツール用の画像編集画面を説明する図である。
【図１７】図１の画像印刷装置で印刷されたシール台紙の他の例を説明する図である。
【符号の説明】
１  画像印刷装置
１４  タッチペン
１５  モニタ
４１  ＣＰＵ
４４  プログラム記憶部
４７  撮影画像記憶部
５０  バス
５１  表示プロセッサ
５２  タッチパネル
【図１】
0003570408.tif 000002
【図２】
0003570408.tif 000003
【図３】
0003570408.tif 000004
【図４】
0003570408.tif 000005
【図５】
0003570408.tif 000006
【図６】
0003570408.tif 000007
【図７】
0003570408.tif 000008
【図８】
0003570408.tif 000009
【図９】
0003570408.tif 000010
【図１０】
0003570408.tif 000011
【図１１】
0003570408.tif 000012
【図１２】
0003570408.tif 000013
【図１３】
0003570408.tif 000014
【図１４】
0003570408.tif 000015
【図１５】
0003570408.tif 000016
【図１６】
0003570408.tif 000017
【図１７】
0003570408.tif 000018